(57)【要約】  本発明は、ＰＯＴＮのビットエラー検出方法、装置およびシステムを開示するものであり、当該方法は、ＰＯＴＮネットワークの中間ノードがビットエラー閾値超過の存在有無を判断することを含み、前記中間ノードがＯＴＮリンクによりその他の中間ノードに接続され、前記中間ノードが判断結果により警告メッセージを被影響サービスに対応する下流ノードに送信する。本発明によれば、関連技術におけるＰＯＴＮネットワークのビットエラー検出精度が比較的低いという問題が解決され、ＰＯＴＮネットワークにおけるより一層高精度の性能劣化検出およびより一層信頼できる保護スイッチングを実現してＰＴＮサービスの信頼性を高めることができる。
2017518705.tif 000002
【特許請求の範囲】
【請求項１】
ＰＯＴＮのビットエラー検出方法であって、
ＰＯＴＮネットワークの中間ノードがビットエラー閾値超過の存在有無を判断することを含み、前記中間ノードが光伝送ネットワークＯＴＮリンクによりその他の中間ノードに接続され、前記中間ノードが判断結果により警告メッセージを被影響サービスに対応する下流ノードに送信する、ＰＯＴＮのビットエラー検出方法。
【請求項２】
ＰＯＴＮネットワークの中間ノードがビットエラー閾値超過の存在有無を判断することは、前記中間ノードがＯＴＮビットエラー検出技術によりビットエラー閾値超過の存在有無を判断することを含む、請求項１に記載のＰＯＴＮのビットエラー検出方法。
【請求項３】
前記中間ノードが判断結果により警告メッセージを被影響サービスに対応する下流ノードに送信することは、前記中間ノードが判断結果によりパケット伝送ネットワークであるＰＴＮネットワークの運用・管理・保守ＯＡＭ警告メッセージを、被影響サービスに対応する下流ノードに送信することを含む、請求項２に記載のＰＯＴＮのビットエラー検出方法。
【請求項４】
前記中間ノードが判断結果によりＰＴＮネットワークのＯＡＭ警告メッセージを被影響サービスに対応する下流ノードに送信した後に、さらに、前記下流ノードが前記ＯＡＭ警告メッセージを解析すること、および、前記下流ノードが解析結果および保護スイッチング規則に基づいてスイッチングを実行するか否かを特定することを含む、請求項３に記載のＰＯＴＮのビットエラー検出方法。
【請求項５】
前記中間ノードが判断結果により警告メッセージを被影響サービスに対応する下流ノードに送信することは、前記判断結果がビットエラー閾値超過の存在である場合、前記中間ノードが、警告の発生を通知するための警告メッセージを被影響サービスに対応する下流ノードに送信すること、および/または、前記判断結果がビットエラー閾値超過の消失である場合、前記中間ノードが、警告の消失を通知するための警告メッセージを被影響サービスに対応する下流ノードに送信することを含む、請求項１に記載のＰＯＴＮのビットエラー検出方法。
【請求項６】
前記中間ノードが判断結果により警告メッセージを被影響サービスに対応する下流ノードに送信することは、前記中間ノードが判断結果により遠端ビットエラー閾値超過指示ＦＥＩを携帯しているメッセージを、被影響サービスに対応する下流ノードに送信することを含み、
前記遠端ビットエラー閾値超過指示は、前記警告メッセージが警告の発生を通知するための警告メッセージであるか、または警告の消失を通知するための警告メッセージであるかを指示するように構成されている、請求項５に記載のＰＯＴＮのビットエラー検出方法。
【請求項７】
ＰＯＴＮネットワークの中間ノードに位置し、前記中間ノードが光伝送ネットワークＯＴＮリンクによりその他の中間ノードに接続されるＰＯＴＮのビットエラー検出装置であって、
ビットエラー閾値超過の存在有無を判断するように構成された判断モジュールと、
判断結果により警告メッセージを被影響サービスに対応する下流ノードに送信するように構成された送信モジュールとを備える、ＰＯＴＮのビットエラー検出装置。
【請求項８】
前記判断モジュールは、ＯＴＮビットエラー検出技術によりビットエラー閾値超過の存在有無を判断するように構成された判断ユニットを備える、請求項７に記載のＰＯＴＮのビットエラー検出装置。
【請求項９】
前記送信モジュールは、判断結果によりパケット伝送ネットワークであるＰＴＮネットワークの運用・管理・保守ＯＡＭ警告メッセージを被影響サービスに対応する下流ノードに送信するように構成された第１の送信ユニットを備える、請求項８に記載のＰＯＴＮのビットエラー検出装置。
【請求項１０】
前記送信モジュールは、前記判断結果がビットエラー閾値超過の存在である場合、警告の発生を通知するための警告メッセージを被影響サービスに対応する下流ノードに送信する、および/または、前記判断結果がビットエラー閾値超過の消失である場合、警告の消失を通知するための警告メッセージを被影響サービスに対応する下流ノードに送信するように構成された第２の送信ユニットを備える、請求項７に記載のＰＯＴＮのビットエラー検出装置。
【請求項１１】
前記送信モジュールは、判断結果により遠端ビットエラー閾値超過指示ＦＥＩを携帯しているメッセージを、被影響サービスに対応する下流ノードに送信するように構成された第３の送信ユニットを備え、
前記遠端ビットエラー閾値超過指示は、前記警告メッセージが警告の発生を通知するための警告メッセージであるか、または警告の消失を通知するための警告メッセージであるかを指示するように構成されている、請求項１０に記載のＰＯＴＮのビットエラー検出装置。
【請求項１２】
請求項７乃至１１のいずれか一項に記載のＰＯＴＮのビットエラー検出装置を備え、さらに下流ノードを備えたＰＯＴＮのビットエラー検出システムであって、
前記下流ノードは、警告メッセージがＯＡＭ警告メッセージである場合、前記ＯＡＭ警告メッセージを解析するように構成された解析モジュールと、解析結果および保護スイッチング規則に基づいてスイッチングを実行するか否かを特定するように構成された特定モジュールと、を備えている、ＰＯＴＮのビットエラー検出システム。
【発明の詳細な説明】
【技術分野】
【０００１】
本発明は通信の分野に関し、詳しくは、パケット光伝送ネットワーク（Ｐａｃｋａｇｅ Ｏｐｔｉｃａｌ Ｔｒａｎｓｐｏｒｔ Ｎｅｔｗｏｒｋ、ＰＯＴＮと略称される）のビットエラー検出方法、装置およびシステムに関する。
【背景技術】
【０００２】
現在の電気通信事業者の伝送ネットワークには、パケット伝送ネットワーク（Ｐａｃｋａｇｅ Ｔｒａｎｓｐｏｒｔ Ｎｅｔｗｏｒｋ、ＰＴＮと略称される）Ｏｖｅｒ光伝送ネットワーク（Ｏｐｔｉｃａｌ Ｔｒａｎｓｐｏｒｔ Ｎｅｔｗｏｒｋ、ＯＴＮと略称される）が使用されたネットワーク構築がよく見られ、そのＰＴＮは、サービスのアクセスに使用され、エンドツーエンドのサービス及び保護を提供するものであり、ＯＴＮは、主として大容量および長距離伝送を提供するものである。ネットワーク信頼性に対する電気通信事業者の要求の高まりに伴い、ネットワークにリンク性能劣化が生じた時にもサービスの保護を実現できることが望まれ、エンドツーエンドの保護がＰＴＮにより完了されるので、この時の性能劣化（Ｓｉｇｎａｌ Ｄｅｇｒａｄｅｄ、ＳＤと略称される）保護がＰＴＮデバイスにより実現されることになる。ＯＴＮもＳＤ保護を提供できるが、部分的な保護しか提供できず、且つ、ネットワークにおけるＰＴＮとＯＴＮ保護の重ね使用がネットワーク保護構造の複雑化などの他の問題をもたらすので、通常にはネットワークに配置されていない。
【０００３】
ＰＴＮは、パケット交換に基づくネットワークであり、そのＳＤ保護がパケットロス検出に基づいて性能劣化の度合いを判断し、そのパケットロス検出は、ＰＴＮの運用・管理・保守（Ｏｐｅｒａｔｉｏｎｓ,Ａｄｍｉｎｉｓｔｒａｔｉｏｎ ａｎｄ Ｍａｉｎｔｅｎａｎｃｅ、ＯＡＭと略称される）メカニズム（例えば、Ｇ.８１１３．１/Ｇ.８１１３．２）、あるいはイーサネット（登録商標）媒体アクセス制御（Ｍｅｄｉａ Ａｃｃｅｓｓ Ｃｏｎｔｒｏｌ、ＭＡＣと略称される）層のＦＣＳ、即ちフレームチェックシーケンス（Ｆｒａｍｅ Ｃｈｅｃｋ Ｓｅｑｕｅｎｃｅ、ＦＣＳと略称される）検出メカニズムに基づいて実現することができる。パケットロス検出メカニズムはサービストラフィック、リンクパケット送信レート、サービスパケット長などともある程度関係があるので、高精度のパケットロス率検出を実現することが困難であり、例えば、サービストラフィックが同じである場合、サービスパケット長が大きいほど、毎秒のパケット送信数が小さくなり、パケットロス検出精度が低くなる。通常には、ＰＴＮのネットワークにおいて検出可能なパケットロス率の精度が１０-３〜１０-６であり、これは、同期デジタルハイアラーキー（Ｓｙｎｃｈｒｏｎｏｕｓ Ｄｉｇｉｔａｌ Ｈｉｅｒａｒｃｈｙ、ＳＤＨと略称される）/ＯＴＮのネットワークとは大きな差異が存在している（ＳＤＨ/ＯＴＮネットワークにおいては、ビットエラー検出精度が１０-９に達することができる）。したがって、ＰＴＮとＯＴＮが融合したパケット光伝送ネットワーク（ＰＯＴＮ）のネットワークにおいて、現在のビットエラー検出精度が比較的低い。
【発明の概要】
【発明が解決しようとする課題】
【０００４】
関連技術におけるＰＯＴＮネットワークのビットエラー検出精度が比較的低いという問題に対して、現在では有効な解決策が提案されていない。
【０００５】
本発明の実施例は、少なくとも関連技術におけるＰＯＴＮネットワークのビットエラー検出精度が比較的低いという問題を解決するためのＰＯＴＮのビットエラー検出方法、装置およびシステムを提供している。
【課題を解決するための手段】
【０００６】
本発明の一実施例によると、ＰＯＴＮネットワークの中間ノードがビットエラー閾値超過（ｔｈｒｅｓｈｏｌｄ-ｃｒｏｓｓｉｎｇ）の存在有無を判断することを含み、前記中間ノードが光伝送ネットワークＯＴＮリンクによりその他の中間ノードに接続され、前記中間ノードが判断結果により警告メッセージを被影響サービスに対応する下流ノードに送信する、ＰＯＴＮのビットエラー検出方法が提供されている。
ＰＯＴＮネットワークの中間ノードがビットエラー閾値超過の存在有無を判断することは、前記中間ノードがＯＴＮビットエラー検出技術によりビットエラー閾値超過の存在有無を判断することを含む。
【０００７】
前記中間ノードが判断結果により警告メッセージを被影響サービスに対応する下流ノードに送信することは、前記中間ノードが判断結果によりパケット伝送ネットワークであるＰＴＮネットワークの運用・管理・保守ＯＡＭ警告メッセージを、被影響サービスに対応する下流ノードに送信することを含む。
【０００８】
前記中間ノードが判断結果によりＰＴＮネットワークのＯＡＭ警告メッセージを被影響サービスに対応する下流ノードに送信した後に、さらに、前記下流ノードが前記ＯＡＭ警告メッセージを解析すること、および、前記下流ノードが解析結果および保護スイッチング規則に基づいてスイッチングを実行するか否かを特定することを含む。
【０００９】
前記中間ノードが判断結果により警告メッセージを被影響サービスに対応する下流ノードに送信することは、前記判断結果がビットエラー閾値超過の存在である場合、前記中間ノードが、警告の発生を通知するように構成された警告メッセージを被影響サービスに対応する下流ノードに送信すること、および/または、前記判断結果がビットエラー閾値超過の消失である場合、前記中間ノードが、警告の消失を通知するように構成された警告メッセージを被影響サービスに対応する下流ノードに送信することを含む。
【００１０】
前記中間ノードが判断結果により警告メッセージを被影響サービスに対応する下流ノードに送信することは、前記中間ノードが判断結果により遠端ビットエラー閾値超過指示ＦＥＩを携帯しているメッセージを、被影響サービスに対応する下流ノードに送信することを含み、前記遠端ビットエラー閾値超過指示は、前記警告メッセージが警告の発生を通知するための警告メッセージであるか、または警告の消失を通知するための警告メッセージであるかを指示するように構成されている。
【００１１】
本発明の他の実施例によると、ＰＯＴＮネットワークの中間ノードに位置し、前記中間ノードが光伝送ネットワークＯＴＮリンクによりその他の中間ノードに接続される装置であって、ビットエラー閾値超過の存在有無を判断するように構成された判断モジュールと、判断結果により警告メッセージを被影響サービスに対応する下流ノードに送信するように構成された送信モジュールとを備える、ＰＯＴＮのビットエラー検出装置が提供されている。
【００１２】
前記判断モジュールは、ＯＴＮビットエラー検出技術によりビットエラー閾値超過の存在有無を判断するように構成された判断ユニットを備える。
【００１３】
前記送信モジュールは、判断結果によりパケット伝送ネットワークであるＰＴＮネットワークの運用・管理・保守ＯＡＭ警告メッセージを、被影響サービスに対応する下流ノードに送信するように構成された第１の送信ユニットを備える。
【００１４】
前記送信モジュールは、前記判断結果がビットエラー閾値超過の存在である場合、警告の発生を通知するための警告メッセージを被影響サービスに対応する下流ノードに送信する、および/または、前記判断結果がビットエラー閾値超過の消失である場合、警告の消失を通知するための警告メッセージを被影響サービスに対応する下流ノードに送信するように構成された第２の送信ユニットを備える。
【００１５】
前記送信モジュールは、判断結果により遠端ビットエラー閾値超過指示ＦＥＩを携帯しているメッセージを、被影響サービスに対応する下流ノードに送信するように構成された第３の送信ユニットを備え、前記遠端ビットエラー閾値超過指示は、前記警告メッセージが警告の発生を通知するための警告メッセージであるか、または警告の消失を通知するための警告メッセージであるかを指示するように構成されている。
【００１６】
本発明の他の実施例によると、前記ＰＯＴＮのビットエラー検出装置を備え、さらに下流ノードを備えたＰＯＴＮのビットエラー検出システムであって、前記下流ノードは、警告メッセージがＯＡＭ警告メッセージである場合、前記ＯＡＭ警告メッセージを解析するように構成された解析モジュールと、解析結果および保護スイッチング規則に基づいてスイッチングを実行するか否かを特定するように構成された特定モジュールと、を備えているＰＯＴＮのビットエラー検出システムが提供されている。
【発明の効果】
【００１７】
本発明によれば、ＰＯＴＮネットワークの中間ノードがビットエラー閾値超過の存在有無を判断し、前記中間ノードがＯＴＮリンクによりその他の中間ノードに接続され、前記中間ノードが判断結果により警告メッセージを被影響サービスに対応する下流ノードに送信するという方式を採用することにより、関連技術におけるＰＯＴＮネットワークのビットエラー検出精度が比較的低いという問題が解決され、ＰＯＴＮネットワークにおけるより一層高精度の性能劣化検出およびより一層信頼できる保護スイッチングを実現してＰＴＮサービスの信頼性を高めることができる。
【図面の簡単な説明】
【００１８】
ここで説明すべき図面は、本発明への更なる理解に供し、本出願の一部を構成するものであり、本発明の例示的な実施例及びその説明は、本発明を解釈するためのものであって、本発明を不当に限定するためのものではない。
【００１９】
【図１】本発明の実施例によるＰＯＴＮのビットエラー検出方法の流れ図である。
【図２】本発明の実施例によるＰＯＴＮのビットエラー検出装置の構造ブロック図である。
【図３】本発明の実施例によるＰＯＴＮのビットエラー検出システムの構造ブロック図である。
【図４】本発明の好適な実施例によるＰＯＴＮネットワーク保護のネットワーク構築の見取り図である。
【図５】本発明の好適な実施例によるＰＯＴＮネットワーク保護のアルゴリズム流れの見取り図である。
【図６】本発明の好適な実施例による、アグリゲーション・レイヤーにＰＯＴＮデバイスが使用され、シンクノード間にＯＴＮ接続が使用されたネットワーク構築の見取り図である。
【図７】本発明の実施例一によるサービスおよびＯＡＭメッセージカプセル化の見取り図である。
【図８】本発明の実施例二によるサービスおよびＯＡＭメッセージカプセル化の見取り図である。
【発明を実施するための形態】
【００２０】
以下、本発明について図面を参照して実施例を結合して詳しく説明する。矛盾しない場合、本出願の実施例および実施例中の特徴が互いに組み合わせられることに留意しなければならない。
【００２１】
本実施例において、ＰＯＴＮのビットエラー検出方法が提供され、図１は、本発明の実施例によるＰＯＴＮのビットエラー検出方法の流れ図であり、図１に示すように、当該方法は、以下のステップを含むものである。
【００２２】
ステップＳ１０２において、ＰＯＴＮネットワークの中間ノードがビットエラー閾値超過の存在有無を判断し、前記中間ノードがＯＴＮリンクによりその他の中間ノードに接続される。
ステップＳ１０４において、前記中間ノードが判断結果により警告メッセージを被影響サービスに対応する下流ノードに送信する。
【００２３】
本実施例において、前記ステップによって、ＰＯＴＮネットワークの中間ノードがビットエラー閾値超過の存在有無を判断し、その判断結果を被影響サービスに対応する下流ノードに送信し、これによって下流ノードは中間ノードにビットエラー閾値超過が存在するか否かの状況に基づいて保護スイッチングを実行するか否かを適宜特定することができ、ビットエラー閾値超過およびＰＴＮスイッチング処理の機能が結合され、関連技術におけるＰＯＴＮネットワークのビットエラー検出精度が比較的低いという問題が解決され、ＰＯＴＮネットワークにおけるより一層高精度の性能劣化検出およびより一層信頼できる保護スイッチングを実現してＰＴＮサービスの信頼性を高めることができる。
【００２４】
好ましくは、ＰＯＴＮネットワークの中間ノードはＯＴＮビットエラー検出技術によりビットエラー閾値超過の存在有無を判断することができる。
【００２５】
好ましくは、前記中間ノードは判断結果により警告メッセージを被影響サービスに対応する下流ノードに送信するときに、ＰＴＮネットワークのＯＡＭ警告メッセージを送信することができる。
【００２６】
好ましくは、ＯＡＭ警告メッセージが前記中間ノードにより下流ノードに送信された後に、前記下流ノードは前記ＯＡＭ警告メッセージを解析してから、解析結果および保護スイッチング規則に基づいてスイッチングを実行するか否かを特定することができる。
【００２７】
好適な実施形態として、前記中間ノードが判断結果により警告メッセージを被影響サービスに対応する下流ノードに送信する方式は具体的には、前記判断結果がビットエラー閾値超過の存在である場合、前記中間ノードが警告の発生を通知するための警告メッセージを被影響サービスに対応する下流ノードに送信する方式、および/または、前記判断結果がビットエラー閾値超過の消失である場合、前記中間ノードが警告の消失を通知するための警告メッセージを被影響サービスに対応する下流ノードに送信する方式を含むことができる。
【００２８】
好ましくは、前記中間ノードが判断結果により警告メッセージを被影響サービスに対応する下流ノードに送信するときに、当該警告メッセージに遠端ビットエラー閾値超過指示（Ｆａｒ-Ｅｎｄ Ｅｒｒｏｒ Ｉｎｄｉｃａｔｉｏｎ、ＦＥＩと略称される）を携帯することができ、前記遠端ビットエラー閾値超過指示は、前記警告メッセージが警告の発生を通知するための警告メッセージであるか、または警告の消失を通知するための警告メッセージであるかを指示するように構成されている。
【００２９】
上記した方法に対応するものとして、本実施例において、さらに、ＰＯＴＮネットワークの中間ノードに位置するＰＯＴＮのビットエラー検出装置であって、前記中間ノードがＯＴＮリンクによりその他の中間ノードに接続される装置が提供され、当該装置は、上記した実施例および好適な実施形態を実現するように構成され、すでに説明したことは、ここでは重ねて説明しない。例えば、以下に使用される専門語「モジュール」は、所定の機能を実現できるソフトウェアおよび/またはハードウェアの組み合わせである。以下の実施例で説明する装置は好ましくはソフトウェアにより実現されるものであるが、ハードウェアまたはソフトウェアとハードウェアの組み合わせにより実現されることも見込まれており、かつ構想可能である。
【００３０】
図２は、本発明の実施例によるＰＯＴＮのビットエラー検出装置の構造ブロック図であり、図２に示すように、当該装置は、判断モジュール２２と送信モジュール２４とを備え、以下、各モジュールを詳しく説明する。
【００３１】
判断モジュール２２は、ビットエラー閾値超過の存在有無を判断するように構成されている。送信モジュール２４は、判断モジュール２２に接続され、判断モジュール２２の判断結果により警告メッセージを被影響サービスに対応する下流ノードに送信するように構成されている。
【００３２】
好ましくは、前記判断モジュール２２は、ＯＴＮビットエラー検出技術によりビットエラー閾値超過の存在有無を判断するように構成された判断ユニット２２２を備えることができる。
【００３３】
好ましくは、前記送信モジュール２４は、判断モジュール２２の判断結果によりＰＴＮネットワークのＯＡＭ警告メッセージを被影響サービスに対応する下流ノードに送信するように構成された第１の送信ユニット２４２を備えることができる。
【００３４】
好ましくは、前記送信モジュール２４はさらに、判断モジュール２２の前記判断結果がビットエラー閾値超過の存在である場合、警告の発生を通知するための警告メッセージを被影響サービスに対応する下流ノードに送信する、および/または、前記判断結果がビットエラー閾値超過の消失である場合、警告の消失を通知するための警告メッセージを被影響サービスに対応する下流ノードに送信するように構成された第２の送信ユニット２４４を備えることができる。
【００３５】
好ましくは、前記送信モジュール２４はさらに、判断モジュール２２の判断結果により遠端ビットエラー閾値超過指示を携帯しているメッセージを、被影響サービスに対応する下流ノードに送信するように構成された第３の送信ユニット２４６を備えることができ、前記遠端ビットエラー閾値超過指示は、前記警告メッセージが警告の発生を通知するための警告メッセージであるか、または警告の消失を通知するための警告メッセージであるかを指示するように構成されている。
【００３６】
本実施例において、さらにＰＯＴＮのビットエラー検出システムが提供され、図３は、本発明の実施例によるＰＯＴＮのビットエラー検出システムの構造ブロック図であり、図３に示すように、当該システムは、前記図２に示すＰＯＴＮのビットエラー検出装置２０を備え、さらに下流ノード３０を備え、前記下流ノード３０は解析モジュール３２と、特定モジュール３４とを備えている。
【００３７】
解析モジュール３２は、警告メッセージがＯＡＭ警告メッセージである場合、前記ＯＡＭ警告メッセージを解析するように構成されている。特定モジュール３４は、解析モジュール３２に接続され、解析モジュール３２の解析結果および保護スイッチング規則に基づいてスイッチングを実行するか否かを特定するように構成されている。
【００３８】
以下、好適な実施例を結合して説明する。以下の好適な実施例は、上記した実施例およびその好適な実施形態を結合したものである。
【００３９】
以下の好適な実施例において、ＰＴＮとＯＴＮが融合したデバイス（通常には、ＰＯＴＮデバイスと称す）のネットワーク構築・アプリケーションにおける性能劣化（ＳＤ）保護機能の改善方法が提案されており、具体的には、ＰＯＴＮデバイスがＰＴＮとＯＴＮの混合したネットワーク構築・アプリケーションモードにおいて、ＳＤ保護時のビットエラー検出精度を高めて、ＳＤ保護をより精確、信頼できるようにさせる方法に関する。当該方法は、ＰＴＮとＯＴＮが融合したデバイス（ＰＯＴＮデバイス）のネットワーク構築における性能劣化の伝送メカニズムおよび保護のトリガーメカニズムを提供し、ＰＯＴＮネットワークにおいてエンドツーエンドのＰＴＮ保護が高精度のビットエラー検出および保護スイッチングを実現できるようにする。
【００４０】
本好適な実施例による方法は、主として３つのモジュールに関する。
ビットエラー検出モジュール（前記判断モジュール２２の機能を実現したもの）：ＯＴＮインターフェイスのビットエラー検出モジュールであり、当該モジュールは、関連技術としてのＯＴＮビットエラー検出技術により実現され、高精度のビットエラー検出を実現することができる。
【００４１】
ビットエラー伝送モジュール（前記送信モジュール２４の機能を実現したもの）：当該モジュールによって、ＯＴＮインターフェイスにより検出されたビットエラー閾値超過警告が発生したことは、ＰＴＮネットワークのＯＡＭメッセージ（即ち、前記警告メッセージ）に転化されて、ＰＴＮネットワークの保護動作を実行するノードに通知され、ここでのＯＡＭメッセージは、元のＰＴＮ ＯＡＮメカニズムを基にして広げる必要がある。
【００４２】
ビットエラー処理モジュール（前記解析モジュール３２の機能を実現したもの）：ＰＴＮネットワークの保護動作を実行するノードにおいて、当該モジュールは、サービスパス上のＰＯＴＮデバイスから伝送された、遠端ビットエラー閾値超過指示を携帯しているＯＡＭメッセージ（即ち、前記警告メッセージ）を受信した後に、ビットエラー指示を保護スイッチングのトリガー条件として保護スイッチング処理モジュールに通知し、保護スイッチング処理モジュールによってスイッチングを行う必要があるか否かを判断する。
【００４３】
ＰＴＮスイッチング処理モジュール（前記特定モジュール３４の機能を実現したもの）：各種のトリガー条件をまとめて、スイッチング状態を判断してそれに応じた動作を実行するものであり、当該モジュールは、関連技術としてのＰＴＮデバイスのスイッチング処理モジュールによれば実現できる。
【００４４】
図４は、本発明の好適な実施例によるＰＯＴＮネットワーク保護のネットワーク構築の見取り図であり、図４に示すように、ＰＯＴＮネットワークにおいて、中間ノードＰ１と中間ノードＰ２の間にはＯＴＮリンク接続が使用される（その他の接続は、ＯＴＮ接続であってもよいし、イーサネット接続であってもよく、以下の説明とは無関係である）と仮定すると、Ｐ１/Ｐ２ノード上にビットエラー検出モジュールおよびビットエラー伝送モジュールが存在し、ＰＥ１/ＰＥ２ノード上にビットエラー処理モジュールおよびＰＴＮスイッチング処理モジュールが存在することになる。
【００４５】
上記したネットワーク構築の見取り図を結合すると、図５は、本発明の好適な実施例によるＰＯＴＮネットワーク保護のアルゴリズム流れの見取り図であり、図５に示すように、当該流れは、以下のステップを含む。
【００４６】
ステップＳ５０２において、Ｐ１/Ｐ２ノード上においてＯＴＮビットエラー検出技術によりビットエラー閾値超過の存在有無を判断し、ビットエラー閾値超過が存在すると、ステップＳ５０４に進み、そうでないと、ステップＳ５０８に進む。
【００４７】
ステップＳ５０４において、ビットエラー閾値超過が存在するとビットエラー検出モジュールが判断すると、遠端ビットエラー閾値超過指示が発生し、ビットエラー伝送モジュールが特定のＯＡＭメッセージ（ここで、遠端ビットエラー閾値超過指示（ｆａｒ-ｅｎｄ ｅｒｒｏｒ ｉｎｄｉｃａｔｉｏｎ、ＦＥＩと略称される）を携帯しているメッセージと定義され、ＦＥＩメッセージと略称される）を被影響サービスに対応する下流のＰＥノード（本図においてはＰ１の下流ノードがＰＥ１で、Ｐ２の下流ノードがＰＥ２である）に送信して、警告の発生を通知する。
【００４８】
ステップＳ５０６において、ＰＥ１/ＰＥ２ノードにおいてビットエラー処理モジュールがＦＥＩメッセージを抽出および解析し、ビットエラー発生の状況をＰＴＮスイッチング処理モジュールに伝送する。
【００４９】
ステップＳ５０８において、ビットエラー閾値超過が消失したとビットエラー検出モジュールが判断すると、ビットエラー伝送モジュールが警告の消失を通知するためのＦＥＩメッセージを送信する（あるいは、メッセージの送信停止により警告の消失を表示する）。
【００５０】
ステップＳ５１０において、ＰＥ１/ＰＥ２ノードにおいてビットエラー処理モジュールがＦＥＩメッセージを抽出および解析し、ビットエラー消失の状況をＰＴＮスイッチング処理モジュールに伝送する。
【００５１】
ステップＳ５１２において、ＰＴＮスイッチング処理モジュールが保護スイッチング規則に基づいて決定するとともに、スイッチング結果を実行する。
【００５２】
本好適な実施例によるビットエラー伝送および処理メカニズムを採用するとともに、関連技術としてのＯＴＮビットエラー検出技術およびＰＴＮスイッチング処理機能を結合することにより、ＰＯＴＮネットワークにおけるより一層高精度の性能劣化検出およびより一層信頼できる保護スイッチングを実現して、ＰＴＮサービスの信頼性を高めることができる。
【００５３】
以下、ＰＯＴＮベアラネットワークにおいて、ある区間のＯＴＮリンクにビットエラーが発生した後に、本好適な実施例に基づいて保護スイッチングを行うという具体的な実施例を紹介する。
【００５４】
図６は、本発明の好適な実施例による、アグリゲーション・レイヤーにＰＯＴＮデバイスが使用され、シンクノード間にＯＴＮ接続が使用されたネットワーク構築の見取り図であり、図６に示すように、都市域のＰＯＴＮベアラネットワークにおいて、ネットワークは通常、アクセスとアグリゲーションとコアとの３層に分けられ、現在では主としてアグリゲーション・レイヤーまたはコア・レイヤーにはＰＯＴＮデバイスによるネットワーク構築が使用され、アクセス・レイヤーには主として単一なＰＴＮデバイスによるネットワーク構築が使用されているが、未来ではＰＯＴＮデバイスによるネットワーク構築までに発展する可能性がある。ここでは、単にアグリゲーション・レイヤーにＰＯＴＮデバイスが使用され、シンクノード間にＯＴＮ接続が使用されたものを例として説明する。
【００５５】
実施例一：
ＰＯＴＮデバイスによる実現において、光データユニット（Ｏｐｔｉｃａｌ Ｃｈａｎｎｅｌ Ｄａｔａ Ｕｎｉｔ、ＯＤＵと略称される）がマルチプロトコルラベルスイッチングの伝送プロファイル（Ｍｕｌｔｉ-Ｐｒｏｔｏｃｏｌ Ｌａｂｅｌ Ｓｗｉｔｃｈｉｎｇ-Ｔｒａｎｓｐｏｒｔ Ｐｒｏｆｉｌｅ、ＭＰＬＳ-ＴＰと略称される）を載せた場合、擬似回線（Ｐｓｅｕｄｏ Ｗｉｒｅ、ＰＷと略称される）ｏｖｅｒ ＯＤＵ方式を使用でき、サービスのラベルスイッチ・パス（Ｌａｂｅｌ Ｓｗｉｔｃｈｅｄ Ｐａｔｈ、ＬＳＰと略称される）がＰＯＴＮデバイスにエンドし、この場合の実施例一の技術案は、下記の通りである。
【００５６】
１）Ｐ１デバイス上において、ビットエラー検出モジュールは、あるＯＤＵｋにビットエラー閾値超過が発生したことを検出した。
２）Ｐ１デバイス上において、ビットエラー伝送モジュールは当該ＯＤＵｋに影響されたサービスＰＷを判断し、ここではＰＥ１-ＰＥ３サービスとＰＥ２-ＰＥ３サービスを含み、ビットエラー伝送モジュールはＦＥＩメッセージをＰＷ ＯＡＭカプセル化してＰＥ１およびＰＥ２に送信し、ＦＥＩメッセージがＧ.８１１３．１で前記ＯＡＭメッセージ構造を表示し、本メッセージがＦＥＩメッセージであることを表示するために新しいオペレーティング・コード（Ｏｐｅｒａｔｉｎｇ Ｃｏｄｅ、ＯＰＣｏｄｅと略称される）の値が定義され、メッセージにはビットエラー閾値超過指示が携帯され（警告がある場合に１、警告がない場合に０になる）、図７は、本発明の実施例一によるサービスおよびＯＡＭメッセージカプセル化の見取り図であり、メッセージカプセル化は図７に示されている。
３）ＰＥ１およびＰＥ２デバイス上において、ビットエラー処理モジュールはインターフェイスからＦＥＩメッセージを認識、抽出して、その内容を解析して、ＰＷ作業パスにビットエラー閾値超過の発生があると判断して、ノード内のＰＴＮスイッチング処理モジュールに通知する。
４）ＰＥ１およびＰＥ２デバイス上において、ＰＴＮスイッチング処理モジュールはＳＤスイッチングを実行する必要があると決定し、サービスフローを保護ＰＷに送受信するように切り替える。
５）終了。
【００５７】
実施例二：
ＰＯＴＮデバイスによる実現において、ＯＤＵがＭＰＬＳ-ＴＰを載せた場合にもＬＳＰ ｏｖｅｒ ＯＤＵ方式を使用でき、サービスＬＳＰはＰＯＴＮデバイス上においてラベル交換が実行された後、ＯＤＵｋに載るようになり、この場合の実施例二の技術案は、下記の通りである。
【００５８】
１）Ｐ１デバイス上において、ビットエラー検出モジュールは、あるＯＤＵｋにビットエラー閾値超過が発生したことを検出した。
２）Ｐ１デバイス上において、ビットエラー伝送モジュールは当該ＯＤＵｋに影響されたサービスＬＳＰを判断し、ここではＰＥ１-ＰＥ３サービスとＰＥ２-ＰＥ３サービスを含み、ビットエラー伝送モジュールはＦＥＩメッセージをＬＳＰ  ＯＡＭカプセル化してＰＥ１およびＰＥ２に送信し、ＦＥＩメッセージがＧ.８１１３．１で前記ＯＡＭメッセージ構造を表示し、本メッセージがＦＥＩメッセージであることを表示するために新しいＯＰＣｏｄｅの値が定義され、メッセージにはビットエラー閾値超過指示が携帯され（警告がある場合に１、警告がない場合に０になる）、図８は、本発明の実施例二によるサービスおよびＯＡＭメッセージカプセル化の見取り図であり、メッセージカプセル化は図８に示されている。
３）ＰＥ１およびＰＥ２デバイス上において、ビットエラー処理モジュールはインターフェイスからＦＥＩメッセージを認識、抽出して、その内容を解析して、ＬＳＰ作業パスにビットエラー閾値超過の発生があると判断して、ノード内のＰＴＮスイッチング処理モジュールに通知する。
４）ＰＥ１およびＰＥ２デバイス上において、ＰＴＮスイッチング処理モジュールはＳＤスイッチングを実行する必要があると決定し、サービスフローを保護ＬＳＰに送受信するように切り替える。
５）終了。
【００５９】
上記した好適な実施例から明らかなように、当該検出メカニズムは処理の流れが簡潔で、可操作性が強く、ＰＯＴＮデバイスのネットワーク構築・アプリケーションに強い実用価値がある。
【００６０】
その他の実施例において、さらに、上記した実施例および好適な実施例で説明した技術案を実行するためのソフトウェアが提供されている。
【００６１】
その他の実施例において、さらに、上記したソフトウェアが格納されている格納媒体が提供され、当該格納媒体は、ＣＤ-ＲＯＭ、フレキシブルディスク、ハードディスク、書換え可能なメモリなどを含むが、これらに限らない。
【００６２】
上記した本発明の各モジュールまたは各ステップは共通の演算装置により実現でき、それらは単独の演算装置に集中されるか、若しくは複数の演算装置からなるネットワークに分布されることができ、好ましくは、それらは演算装置により実行可能なプログラムコードにより実現することができ、よってそれらを格納装置に格納して演算装置により実行することができ、かつ、いくつかの状況では、ここで示したステップまたはここで説明したステップをここでの順序と異なる順序で実行することができ、また、それらをそれぞれに各集積回路モジュールに作成するか、或いはそれらのうちの複数のモジュールまたはステップを単独の集積回路モジュールに作成して実現することができることは、明らかに本分野の技術者に理解されるべきであろう。このように、本発明は如何なる特定のハードウェアとソフトウェアの結合に制限されるものではない。
【００６３】
以上に説明したものは、本発明の好適な実施例に過ぎず、本発明を制限するものではなく、本分野の技術者にとっては、本発明は、様々な変更や変化がある。本発明の旨及び原則内で行う如何なる修正、同等の置換、改善等は本発明の保護範囲内に含まれる。
【産業上の利用可能性】
【００６４】
上記の通り、本発明の実施例で提供されたＰＯＴＮのビットエラー検出方法、装置およびシステムは、以下の有益な効果を有するものである。つまりＰＯＴＮネットワークにおけるより一層高精度の性能劣化検出およびより一層信頼できる保護スイッチングを実現して、ＰＴＮサービスの信頼性を高めることができる。
【図１】
2017518705.tif 000003
【図２】
2017518705.tif 000004
【図３】
2017518705.tif 000005
【図４】
2017518705.tif 000006
【図５】
2017518705.tif 000007
【図６】
2017518705.tif 000008
【図７】
2017518705.tif 000009
【図８】
2017518705.tif 000010
【国際調査報告】
2017518705.tif 000011
2017518705.tif 000012
2017518705.tif 000013
2017518705.tif 000014